【手続補正書】
【提出日】平成18年3月13日(2006.3.13)
【手続補正１】
【補正対象書類名】明細書
【補正対象項目名】特許請求の範囲
【補正方法】変更
【補正の内容】
【特許請求の範囲】
【請求項１】  身体の空洞を形成する壁に対する、内視鏡の固定及び位置決め装置であって、
前記内視鏡は、側面に向いた作業部分を含む末端部分を有していて、
前記装置は、前記作業部分を含まない前記内視鏡の前記末端部分の一部を形成するよう、形状が定められている膨張可能な風船を具備し、前記膨張可能な風船は、該風船の最近接端部と最末端部との一方に揺りかご部分を、前記風船の前記最近接端部と前記最末端部との他方に環状部分を有し、前記揺りかご部分は、前記作業部分に近接して位置づけられて、前記作業部分の前方に作業領域を提供する円弧状端部を有し、前記作業領域は、前記膨張可能な風船が膨張されたときに、前記身体の空洞と流体が流通可能に連通し、
前記装置は、前記膨張可能な風船を膨張するために液体を流入するように、前記膨張可能な風船に連結している細長い部材を具備する、内視鏡の固定及び位置決め装置。
【請求項２】  前記円弧状端部は、前記作業部分の両側に位置された、請求項１に記載の固定及び位置決め装置。
【請求項３】  前記環状部分は、円形の外周を有している、請求項１に記載の固定及び位置決め装置。
【請求項４】  前記風船は、約２０ｍｍ又はそれ以上の膨張された直径を有している、請求項１に記載の固定及び位置決め装置。
【請求項５】  前記風船は、前記内視鏡の前記末端部分に取り外し自在に取り付けられている請求項１に記載の固定及び位置決め装置。
【請求項６】  前記風船の一端に取付けられ前記風船が軸方向に動くのを阻止するキャップをさらに具備している請求項１に記載の固定及び位置決め装置。
【請求項７】  前記細長い部材は、流体を前記風船に流入する、又は前記風船から液体を流出可能にするように前記風船に連結されたカテーテルである、請求項１に記載の固定及び位置決め装置。
【請求項８】  前記カテーテルが前記内視鏡の外側部分に沿って締結されている請求項７に記載の固定及び位置決め装置。
【請求項９】  身体の空洞での内視鏡の固定及び位置決めのための膨張可能な風船の使用方法であって、前記内視鏡は側面に向いた作業部分を含む末端部分を有し、前記風船は、該風船の最近接端部と最末端部との一方に揺りかご部を、前記風船の前記最近接端部と前記最末端部との他方に環状部分を有し、前記揺りかご部は、前記作業部分に近接して位置づけられた円弧状端部を有しており、
前記風船は、前記内視鏡の前記末端部分に取り付けられ、膨張させられるときに、前記作業部分を含まない前記内視鏡の前記末端部分の一部を形成し、前記揺りかご部分は、前記作業部分の前方に作業領域を提供し、前記作業領域は、前記身体の空洞と流体が流通可能に連通する、内視鏡の固定及び位置決めのための膨張可能な風船の使用方法。
【請求項１０】  前記作業部分は、前記身体の空洞の壁から離間している、請求項９に記載の使用方法。
【請求項１１】  前記環状部分は、円形の外周を有する、請求項９に記載の使用方法。
【請求項１２】  前記風船は、約２０ｍｍ又はそれ以上の膨張された直径を有している、請求項９に記載の使用方法。
【請求項１３】  前記風船は、前記内視鏡の前記末端部分に取り外し自在に取り付けられている請求項９に記載の使用方法。
【請求項１４】  前記風船の一端に取付けられ前記風船が軸方向に動くのを阻止するキャップをさらに具備している請求項９に記載の使用方法。
【請求項１５】  前記風船が、流体を前記風船に連結されたカテーテルを通って、前記風船に流入させることにより膨張される、請求項９に記載の使用方法。
【請求項１６】  前記風船は、前記身体の空洞で収縮される、請求項９に記載の使用方法。
【請求項１７】  前記風船は、流体を前記風船に連結されたカテーテルを通って、前記風船から流出させることにより収縮される、請求項１６に記載の使用方法。
【請求項１８】  内視鏡と共に使用するための固定及び位置決め装置であって、
前記装置は、断面長さと、大周縁部分と、側面に向いた窓部分を有する小周縁部分とを有する、内視鏡の末端部分に取り付けられた膨張可能な風船を具備し、
前記膨張可能な風船は、前記断面長さに対応した軸方向の長さと、最近接端部および最末端部と、前記風船の前記最近接端部と前記最末端部の一方に配置された揺りかご部分を有し、前記揺りかご部分は、前記大周縁部分を形成し、身体の空洞の壁から前記窓部分を離間するために、それらの間に空間を形成する円弧状端部を有し、
前記装置は、前記風船の膨張収縮のための手段を具備する内視鏡と共に使用するための固定及び位置決め装置。
【請求項１９】  前記風船がさらに前記円弧状端部で終端する円弧長さを具備し、前記円弧状端部が前記窓部分の両側に位置された前記膨張可能な風船が、前記窓部分を前記身体の空洞の壁から離間させるための膨張された半径方向の直径を有している請求項１８に記載の固定及び位置決め装置。
【請求項２０】  前記円弧状端部が環状部分を形成する軸方向の長さの一端で連結されている請求項１９に記載の固定及び位置決め装置。
【請求項２１】  前記環状部分が円形の外周を有している請求項２０に記載の固定及び位置決め装置。
【請求項２２】  前記風船が約２０ｍｍ又はそれ以上の膨張された直径を有している請求項２１に記載の固定及び位置決め装置。
【請求項２３】  前記風船が前記内視鏡の前記末端部分に取り外し自在に取付けられている請求項１８に記載の固定及び位置決め装置。
【請求項２４】  前記窓は、前記断面長さより短い長さの窓を有し、その結果、残存する断面長さを提供する、請求項１８に記載の固定及び位置決め装置。
【請求項２５】  前記風船の一端に取付けられ、前記風船が前記末端部分の前記軸方向に動くのを阻止するキャップをさらに具備している請求項１８に記載の固定及び位置決め装置。
【請求項２６】  前記風船を膨張収縮させる手段が、前記風船に連結され流体を前記風船に流入又は流出させるカテーテルからなっている請求項１８に記載の固定及び位置決め装置。
【請求項２７】  前記カテーテルが前記内視鏡の外側部分に沿って締結されている請求項２６に記載の固定及び位置決め装置。
【請求項２８】  前記揺りかご部分は、実質的にＣの形をした、請求項１８に記載の固定及び位置決め装置。
【請求項２９】  身体の空洞での内視鏡の固定及び位置決めのための膨張可能な風船の使用方法であって、
前記内視鏡は、断面長さと、大周縁部分と、側面に向いた窓部分を有する小周縁部分とを有し、
前記膨張可能な風船は、
前記末端部分の前記断面長さに対応する軸方向の長さと、
最近接端部および最末端部と、
前記風船の前記最近接端部と最末端部との一方に配置された揺りかご部分と、を含み、
前記揺りかご部分は、前記大周縁部分を形成し、それらの間に空間を形成する円弧状端部を有する、内視鏡の固定及び位置決めのための膨張可能な風船の使用方法。
【請求項３０】  前記窓部分を身体の空洞の壁から離間させる、請求項２９に記載の使用方法。
【請求項３１】  前記膨張可能な風船が、前記窓部分の両側に位置された前記円弧状端部で終端する円弧長さと前記窓部分を前記身体の空洞の壁から離間させる半径方向の直径とを具備している請求項３０に記載の使用方法。
【請求項３２】  前記円弧状端部が環状部分を形成する軸方向の長さの一端で連結されている請求項３１に記載の使用方法。
【請求項３３】  前記環状部分が円形の外周を有している請求項３２に記載の使用方法。
【請求項３４】  前記風船が約２０ｍｍ又はそれ以上の膨張された直径を有している請求項３３に記載の使用方法。
【請求項３５】  前記風船が前記内視鏡の前記末端部分に取り外し自在に取付けられている請求項３０に記載の使用方法。
【請求項３６】  前記風船が流体を前記風船に連結されたカテーテルを通って前記風船に流入させることにより膨張される請求項３０に記載の使用方法。
【請求項３７】  前記風船が前記身体の空洞の中で収縮される請求項２９に記載の使用方法。
【請求項３８】  前記風船が流体を前記風船に連結されたカテーテルを通って前記風船から流出させることにより収縮される請求項３７に記載の使用方法。
【請求項３９】  前記揺りかご部分は、実質的にＣの形をした、請求項２９に記載の使用方法。
【請求項４０】  内視鏡と共に使用する固定及び位置決め装置であって、
前記装置は、断面長さと、大周縁部分と、側面に向いた窓部分を有する小周縁部分と、を有する、末端部分を有する前記内視鏡の末端部分に取り付けられる膨張可能な風船を具備し、
前記膨張可能な風船は、
前記断面長さに対応する軸方向の長さと、
最近接端部および最末端部と、
前記風船の前記最近接端部と最末端部の一方に配置された揺りかご部分と、を含み、
前記揺りかご部分は、前記大周縁部分を形成し、身体の空洞の壁から前記窓部分を離間するために、それらの間に空間を形成する円弧状端部を有し、
前記装置は、流体を前記風船に流入し、前記風船を膨張可能にするように前記風船に連結されたカテーテルを具備する、内視鏡と共に使用する固定及び位置決め装置。
【請求項４１】  前記カテーテルは、前記風船を収縮するように、流体を前記風船から流出することを可能にする、請求項４０に記載の固定及び位置決め装置。
【請求項４２】  前記膨張可能な風船は、前記窓部分の両側に位置している前記円弧状端部で終端する円弧長さを具備し、前記膨張可能な風船は、前記窓部分を前記身体の空洞の壁から離間させるための膨張された半径方向の直径を有している、請求項４１に記載の固定及び位置決め装置。
【請求項４３】  前記円弧状端部は、環状部分を形成する軸方向の長さの一端で連結される請求項４２に記載の固定及び位置決め装置。
【請求項４４】  前記環状部分は、円形の外周を有している請求項４３に記載の固定及び位置決め装置。
【請求項４５】  前記風船が約２０ｍｍ又はそれ以上の膨張された直径を有している請求項４４に記載の固定及び位置決め装置。
【請求項４６】  前記風船が前記内視鏡の前記末端部分に取り外し自在に取付けられている請求項４５に記載の固定及び位置決め装置。
【請求項４７】  前記風船の一端に取付けられ、前記風船が前記末端部分の軸方向に動くのを阻止するキャップをさらに具備している請求項４６に記載の固定及び位置決め装置。
【請求項４８】  前記揺りかご部分は、実質的にＣの形をした、請求項４７に記載の固定及び位置決め装置。